(57)【特許請求の範囲】
【請求項１】
フレキシブル性を有するフレキシブル二次電池であって、
リチウムイオン二次電池によって構成され、
正極と負極の少なくとも一方の電極の活物質層に、アクリル系重合体、ジエン系重合体から選ばれる１種類以上の柔軟剤を含み、
厚さが１．５ｍｍ以下であり、
前記リチウムイオン二次電池の内部の減圧度が２００〜１０００Ｐａである
フレキシブル二次電池。
【請求項２】
屈曲半径Ｒが１００ｍｍ以下のフレキシブル性を有する請求項１に記載のフレキシブル二次電池。
【請求項３】
前記正極の活物質が、ＬｉＮｉＡＣｏＢＡｌＣＯ２（但し、Ａ+Ｂ+Ｃ＝1），ＬｉＦｅＰＯ４，ＭｎＯ２から選ばれる１種以上である請求項１又は請求項２に記載のフレキシブル二次電池。
【請求項４】
前記柔軟剤が、スチレンブタジエンゴム系を含む請求項１に記載のフレキシブル二次電池。
【請求項５】
前記リチウムイオン二次電池の内部の減圧度が２００〜８００Ｐａである請求項１から４のいずれかに記載のフレキシブル二次電池。
【請求項６】
フレキシブル性を有し、リチウムイオン二次電池によって構成され、正極と負極の少なくとも一方の電極の活物質層に、アクリル系重合体、ジエン系重合体から選ばれる１種類以上の柔軟剤を含み、厚さが１．５ｍｍ以下であり、前記リチウムイオン二次電池の内部の減圧度が２００〜１０００Ｐａであるフレキシブル二次電池を備え、
前記フレキシブル二次電池から電力が供給されて駆動される
電子機器。
【請求項７】
有機エレクトロルミネッセンス素子から成る発光素子を備えた請求項６に記載の電子機器。
【請求項８】
前記発光素子と前記フレキシブル二次電池が、貼り合わせにより接合されている請求項７に記載の電子機器。
【請求項９】
前記発光素子と前記フレキシブル二次電池が、積層されて一体化されている請求項７に記載の電子機器。
【請求項１０】
前記フレキシブル二次電池の内部の減圧度が２００〜８００Ｐａである請求項６から９のいずれかに記載の電子機器。
【請求項１１】
前記フレキシブル二次電池が、屈曲半径Ｒが１００ｍｍ以下のフレキシブル性を有する請求項６から１０のいずれかに記載の電子機器。
【発明の詳細な説明】
【技術分野】
【０００１】
本発明は、フレキシブル性を有するフレキシブル二次電池、及び、このフレキシブル二次電池を備えた画像表示装置（ディスプレイ）等の各種の電子機器に係わる。
【背景技術】
【０００２】
有機エレクトロルミネッセンス素子等を発光素子に用いた画像表示装置（ディスプレイ）において、フレキシブル化やモバイル用途でのケーブルレス化が求められている。
画像表示装置のフレキシブル化やケーブルレス化に伴い、パワーサプライである電源部のフレキシブル化も必要になってくる。【０００３】
従来から、有機エレクトロルミネッセンス素子と二次電池を組み合わせた構成が、いくつか提案されている（例えば、特許文献１、特許文献２、特許文献３参照）。
【先行技術文献】
【特許文献】
【０００４】
【特許文献１】特開平１−２０４３８８号公報
【特許文献２】特開平１０−１４９８８０号公報
【特許文献３】特開２００１−８２０５８号公報
【発明の概要】
【発明が解決しようとする課題】
【０００５】
現在、二次電池の主流であるリチウムイオン二次電池は、フレキシブル化のためには、フレキシブル性と高い容量との両立が大きな課題である。【０００６】
特許文献１〜特許文献３等の従来の文献には、電池のフレキシブル化のための具体的な構成が記載されていない。
例えば、上記の特許文献３には、シート状正極及びシート状負極を使用して外装フィルムで封止したシート状ポリマー二次電池を構成することが記載されている。しかし、特許文献３には、シート状ポリマー二次電池をどのように構成してフレキシブル化するかについては開示されていない。【０００７】
リチウムイオン二次電池をフレキシブル化しようとすると、通常は、容量が一桁以上低くなってしまう。
これは、フレキシブル化のために、例えば活物質層中のバインダー（柔軟剤）の量を増やすと、電池機能に寄与する活物質の割合が低下してしまうためと考えられる。【０００８】
上述した問題の解決のために、本発明においては、フレキシブル性と高い容量とを共に実現することができるフレキシブル二次電池を提供するものである。また、このフレキシブル二次電池を備えた電子機器を提供するものである。
【課題を解決するための手段】
【０００９】
本発明のフレキシブル二次電池は、フレキシブル性を有するフレキシブル二次電池であって、リチウムイオン二次電池によって構成される。このリチウムイオン二次電池は、正極と負極の少なくとも一方の電極の活物質層に、アクリル系重合体、ジエン系重合体から選ばれる１種類以上の柔軟剤を含み、リチウムイオン二次電池の内部の減圧度が１０〜１０００Ｐａである。
また、本発明の電子機器は、上記フレキシブル二次電池を備え、このフレキシブル二次電池から電力が供給されて駆動される。【００１０】
上述の本発明のフレキシブル二次電池によれば、少なくとも一方の電極の活物質層に、アクリル系重合体、ジエン系重合体から選ばれる１種類以上の柔軟剤を含み、リチウムイオン二次電池の内部の減圧度を１０〜１０００Ｐａとすることにより、電池の容量に影響を与えずに、電池にフレキシブル性を付与することができる。このため、フレキシブル性を有した薄型の構成としても容量の低下がなく、フレキシブル性と高い容量とを共に有する二次電池を実現することができる。
また、本発明の電子機器によれば、上記構成のフレキシブル二次電池を備え、フレキシブル二次電池から電力が供給されて駆動される構成であるため、電池が薄型でフレキシブル性を有する。このため、電子機器の小型化を図ることができ、電子機器の動作時間を長くすることができる。
【発明の効果】
【００１１】
上述の本発明のフレキシブル二次電池によれば、フレキシブル性を有した薄型の構成としても、高い容量を実現することができる。また、本発明の電子機器によれば、上記フレキシブル二次電池を備えることにより、電池が薄型でフレキシブル性を有すると共に高い容量を有する。
【図面の簡単な説明】
【００１２】
【図１】本発明の第１の実施の形態のフレキシブル二次電池の概略構成図（断面図）である。
【図２】本発明の第２の実施の形態の電子機器の概略構成図（断面図）である。
【図３】本発明の第３の実施の形態の電子機器の概略構成図（断面図）である。
【発明を実施するための形態】
【００１３】
以下、発明を実施するための形態（以下、実施の形態とする）について説明する。
なお、説明は以下の順序で行う。
１．本発明の概要
２．第１の実施の形態（フレキシブル二次電池）
３．第２の実施の形態（電子機器）
４．第３の実施の形態（電子機器）
【００１４】
＜１．本発明の概要＞
まず、本発明の具体的な実施の形態の説明に先立ち、本発明の概要を説明する。
【００１５】
薄型のリチウムイオン二次電池は、正極集電体、正極活物質層、電解質及び電解液、セパレータ、電解質及び電解液、負極活物質層、負極集電体を有し、これらの各層を積層して、外部を封止材で封止して構成されている。
【００１６】
正極活物質層の材料は、主に、リチウム酸化物等の活物質とバインダーと添加剤である。
従来のリチウムイオン二次電池では、正極活物質層のバインダーには、ＰＶＤＦ（ポリフッ化ビニリデン）等が用いられ、添加剤としては導電剤であるアセチレンブラック等が用いられている。
正極活物質層のリチウム酸化物の材料としては、従来は、ＬｉＣｏＯ２，Ｌｉ（Ｎｉ，Ｃｏ，Ｍｎ）Ｏ２等が主流である。
負極活物質層の材料は、主に、グラファイト等の活物質とバインダーと添加剤であり、必要に応じてシリコンが加えられる。
従来のリチウムイオン二次電池では、負極活物質層のバインダーには、ＳＢＲ（スチレンブタジエンラバー）等が用いられ、添加剤としては増粘剤であるＣＭＣ（カルボキシメチルセルロース）等が用いられている。
【００１７】
正極活物質層や負極活物質層のバインダーを増やすと、フレキシブル性が増大するが、活物質の割合が低下するため、リチウムイオン二次電池の容量は低下してしまう。
【００１８】
本発明のフレキシブル二次電池では、従来の二次電池から、以下に挙げる構成を変更することにより、フレキシブル性と高い容量を、共に実現する。
【００１９】
（１）正極を高容量とする。
正極を高容量とするためには、ＬｉＮｉＡＣｏＢＡｌＣＯ２（但し、Ａ+Ｂ+Ｃ＝1），ＬｉＦｅＰＯ４，ＭｎＯ２から選ばれる１種以上を含有する活物質を使用する。
上記化合物を含有する正極活物質を使用することにより、従来の正極活物質（例えば、ＬｉＣｏＯ２等）と比較して、正極の容量を高くすることができる。
Ｌｉ（Ｍｎ，Ｃｏ，Ｎｉ）Ｏ２やＬｉＭｎＯ２では、理論容量は１５０ｍＡｈ／ｇ程度である。
これに対して、ＬｉＮｉＡＣｏＢＡｌＣＯ２（但し、Ａ+Ｂ+Ｃ＝1），ＬｉＦｅＰＯ４，ＭｎＯ２を正極活物質に使用すると、理論容量は２５０〜４００ｍＡｈ／ｇ程度にまで向上する。
【００２０】
（２）パッケージの減圧度を弱める。
二次電池にフレキシブル性を持たせるには、二次電池を封止する際のパッケージ圧を弱めて、二次電池を曲げられるようにしなければならない。
従来のフレキシブル性の無いリチウムイオン二次電池の３０〜５０％程度のパッケージ圧にする。
本発明のフレキシブル二次電池では、リチウムイオン二次電池のパッケージ減圧度を、１０〜１０００Ｐａとする。好ましくは、パッケージ減圧度を１００〜１０００Ｐａの範囲とし、より好ましくは、２００〜８００Ｐａの範囲とし、最も好ましくは５００Ｐａとする。
【００２１】
フレキシブル性の基準は、屈曲半径Ｒが１００ｍｍ以下、好ましくは、屈曲半径Ｒが３０ｍｍ〜３ｍｍである。
また、本発明のフレキシブル二次電池では、リチウムイオン二次電池の厚さを１．５ｍｍ以下、好ましくは０．５ｍｍ以下とする。
【００２２】
（３）活物質層にバインダー（柔軟剤）を含有させる。より好ましくは、バインダー（柔軟剤）を改良して、アクリル系重合体やジエン系重合体をバインダーに使う。
バインダー（柔軟剤）を、正極活物質層と負極活物質層のうち、少なくとも一方に使用する。
より好ましくは、バインダーとして、アクリル系重合体やジエン系重合体からなる柔軟剤を使用する。アクリル系重合体やジエン系重合体の柔軟剤と、他のバインダー材料との共重合体を形成しても良い。バインダーとしてアクリル系重合体やジエン系重合体を柔軟剤に用いることにより、他のバインダー材料を用いた場合よりも、柔軟性を向上することができる。
アクリル系重合体やジエン系重合体を形成するための具体的な材料としては、ブタジエン、ＰＴＦＥ（ポリテトラフルオロエチレン）、ＶＤＦ（フッ化ビニリデン）、ＴＦＥ（テトラフルオロエチレン）等が挙げられる。
バインダーとしては、例えば、ＪＳＲ製ＴＲＤ１００２を使用することができる。
なお、高柔軟性の問題から、ジエン系（ＳＢＲ系共重合体含有化合物等）が好ましい。
【００２３】
（１）〜（３）に挙げた構成以外のフレキシブル二次電池の構成は、従来公知の薄型のリチウムイオン二次電池と同様の構成とすることができる。
【００２４】
ただし、フレキシブル性を有する二次電池を構成して、二次電池を曲げて使用することを想定すると、電解質層には、電解液の漏れを生じることがなく、また二次電池の曲げによる電解質層の破壊が生じないような材料を用いることが望ましい。
【００２５】
本発明の電子機器は、本発明のフレキシブル二次電池を備えて、フレキシブル二次電池から電力を供給して電子機器を駆動する構成である。
本発明のフレキシブル二次電池は、薄型でフレキシブル性を有するので、任意の電子機器において、駆動電源として内蔵させることにより、大きな場所を占有することがなく、電子機器の小型化を図ることが可能である。また、曲げた状態で使用することが可能であるため、使用した電子機器の設計の自由度を高めることができる。
また、本発明のフレキシブル二次電池は、リチウムイオン二次電池の構成を従来の構成から変更して高い容量を有しており、フレキシブル二次電池を備えた電子機器を、電源の無い屋外等で使用する場合に好適である。例えば、各種の所謂モバイル機器に、本発明のフレキシブル二次電池を使用することが可能である。
本発明の電子機器によれば、本発明のフレキシブル二次電池を備えたことにより、電子機器の小型化を図ることができ、電子機器の動作時間を長くすることができる。
【００２６】
本発明の電子機器を、例えばＩＣカードに適用した場合には、アンテナや駆動回路とフレキシブル二次電池とを接続してＩＣカードを構成する。
フレキシブル二次電池によって、ＩＣカードの厚さを増大させないで、容量の高い電池をＩＣカードに搭載させることが可能になる。
これにより、薄く、かつ、様々な機能を有するＩＣカードを実現することが可能になる。
【００２７】
本発明の電子機器を、例えば薄型ディスプレイに適用した場合には、薄型の画像表示部と薄型のフレキシブル二次電池とを組み合わせて、電源部を含むディスプレイ全体を薄く構成することが可能になる。適用する薄型ディスプレイとしては、例えば、液晶ディスプレイや有機エレクトロルミネッセンス素子を用いたディスプレイを挙げることができる。
【００２８】
特に、有機エレクトロルミネッセンス素子（ＯＬＥＤ）では、基板に透明可撓性フィルムを用いてフレキシブル性を有する構成が提案されており、このフレキシブル性を有する有機エレクトロルミネッセンス素子を用いたディスプレイと、本発明のフレキシブル二次電池とを用いることにより、フレキシブルなディスプレイを実現することが可能である。
【００２９】
また、有機エレクトロルミネッセンス素子（ＯＬＥＤ）を発光素子として照明機器に使用する構成が提案されており、本発明の電子機器をこの照明機器に適用することも可能である。
特に、基板に透明可撓性フィルムを用いてフレキシブル性を有する構成の有機エレクトロルミネッセンス素子（ＯＬＥＤ）を照明機器の発光体として用いて、本発明のフレキシブル二次電池と接続することにより、全体としてフレキシブル性を有する照明機器を実現することが可能になる。
【００３０】
本発明の電子機器を、有機エレクトロルミネッセンス素子（ＯＬＥＤ）を使用した機器に適用する場合に、使用する有機エレクトロルミネッセンス素子の好ましい層構成の具体例を以下に示す。
（ｉ）基材フィルム／陽極／正孔注入層／正孔輸送層／発光層／電子輸送層／陰極
（ii）基材フィルム／陽極／正孔注入層／正孔輸送層／発光層／電子輸送層／電子注入層／陰極
（iii）基材フィルム／陽極／正孔注入層／正孔輸送層／発光層／電子輸送層／正孔阻止層／陰極
（iv）基材フィルム／陽極／正孔注入層／正孔輸送層／発光層／電子輸送層／電子注入層／正孔阻止層／陰極
（ｖ）基材フィルム／陽極／正孔注入層／正孔輸送層／電子阻止層／発光層／電子輸送層／電子注入層／正孔阻止層／陰極
基材フィルムには、フレキシブル性を有する樹脂フィルムを使用する。
それぞれの層構成の各層の材料には、従来公知の材料を使用することができる。
各層構成の陰極の上には、保護フィルムを形成することが好ましい。
また、基材フィルムや保護フィルムの内面側に、ガスバリア膜を形成することが好ましい。
【００３１】
本発明の電子機器を、有機エレクトロルミネッセンス素子（ＯＬＥＤ）を発光素子として使用した照明機器に適用する場合には、フレキシブル二次電池を発光素子の片面に配置することが可能である。
この構成の照明機器を作製する際には、例えば、発光素子とフレキシブル二次電池とを貼り合わせにより接合する、或いは、発光素子とフレキシブル二次電池を積層して一体化させる。
【００３２】
また、本発明の電子機器として、本発明のフレキシブル二次電池と、太陽電池シート等のように、光が照射されることで電源となる電子材料のシートとを組み合わせた構成とすることが可能である。
このような構成とした場合には、光が照射されて発生した電気エネルギーを、フレキシブル二次電池に蓄積することが可能になる。
【００３３】
また、本発明のフレキシブル二次電池への給電方法は、電磁誘導型や電場・磁場共鳴型、電波受信型等のワイヤレス給電を用いることもできる。電子機器において、フレキシブル二次電池へワイヤレス給電を行う場合には、フレキシブル二次電池に接続する給電用の構成を設けてもよい。
【００３４】
＜２．第１の実施の形態＞
本発明の第１の実施の形態のフレキシブル二次電池の概略構成図（断面図）を、図１に示す。
【００３５】
図１に示すフレキシブル二次電池１０は、正極集電体１１、正極活物質層１２、電解質層１３、セパレータ１４、電解質層１３、負極活物質層１５、負極集電体１６の各層が積層されて、周囲が封止材１７で封止されて構成されている。正極集電体１１及び負極集電体１６には、取り出しタグ（電極端子）１８が接続され、この取り出しタグ（電極端子）１８は、封止材１７の外部に延びて形成されている。
【００３６】
正極集電体１１には、Ａｌ等、従来公知の正極集電体用の材料を使用することができる。
正極活物質層１２には、ＬｉＮｉＡＣｏＢＡｌＣＯ２（但し、Ａ+Ｂ+Ｃ＝1），ＬｉＦｅＰＯ４，ＭｎＯ２から選ばれる１種以上を含有する正極活物質とバインダーと添加剤等を使用する。正極活物質層１２の添加物としては、例えば、導電剤であるアセチレンブラック等を使用することができる。
電解質層１３には、ＬｉＰＦ６等の電解質を使用することができる。
セパレータ１４には、例えば、ポリプロピレンやポリエチレン等のポリオレフィンを使用することができる。
負極活物質層１５には、従来公知の負極活物質の材料、例えば、グラファイトとバインダーと添加物等を使用する。負極活物質層１５の添加物としては、例えば、増粘剤であるカルボキシメチルセルロース（ＣＭＣ）を使用することができる。
負極集電体１６には、Ｃｕ等、従来公知の負極集電体用の材料を使用することができる。
封止材１７には、多層ＡｌとＰＥＴ（ポリエチレンテレフタレート）フィルム等、従来公知の封止材の材料を使用することができる。
【００３７】
正極活物質層１２の正極活物質は、ＬｉＮｉＡＣｏＢＡｌＣＯ２（但し、Ａ+Ｂ+Ｃ＝1），ＬｉＦｅＰＯ４，ＭｎＯ２に加えて、例えば、Ｌｉ（Ｍｎ，Ｃｏ，Ｎｉ）Ｏ２，ＬｉＭｎＯ２，Ｌｉ（Ｌｉ，Ｍｎ）１−ｘＣｏｘＯ２やＬｉ２ＭｎＯ３等のＭｎを含有する化合物を用いることもできる。特に、Ｍｎを含有する化合物として、Ｌｉ（Ｍｎ，Ｃｏ，Ｎｉ）Ｏ２やＬｉＭｎＯ２等のリチウム過剰のＭｎ含有酸化物を用いることが好ましい。
【００３８】
封止材１７の内部のパッケージ減圧度は、１０〜１０００Ｐａとする。好ましくは、パッケージ減圧度を１００〜１０００Ｐａの範囲とし、より好ましくは、２００〜８００Ｐａの範囲とし、最も好ましくは５００Ｐａとする。
封止材１７を含めた、フレキシブル二次電池１０の厚さＴは、１．５ｍｍ以下、好ましくは０．５ｍｍ以下とする。
【００３９】
正極活物質層１２及び負極活物質層１５のうちの少なくとも一方に、アクリル系重合体やジエン系重合体を使用した柔軟剤を含有させる。柔軟剤としては、アクリル系重合体やジエン系重合体の柔軟剤と、他のバインダー材料との共重合体であっても良い。
【００４０】
本実施の形態のフレキシブル二次電池１０は、正極活物質層１２の正極活物質にＬｉＮｉＡＣｏＢＡｌＣＯ２（但し、Ａ+Ｂ+Ｃ＝1），ＬｉＦｅＰＯ４，ＭｎＯ２から選ばれる１種以上を含有し、封止材１７の内部のパッケージ減圧度が１０〜１０００Ｐａであり、正極活物質層１２及び負極活物質層１５にアクリル系重合体、ジエン系重合体から選ばれる１種類以上の柔軟剤を含有することにより、高い容量と、十分なフレキシブル性を有している。
【００４１】
＜３．第２の実施の形態＞
本発明の第２の実施の形態の電子機器の概略構成図（断面図）を、図２に示す。
本実施の形態は、本発明の電子機器を、有機エレクトロルミネッセンス素子（ＯＬＥＤ）から成る発光シートに適用したものである。
【００４２】
図２に示す発光シート２０は、フレキシブル二次電池２１が封止材２２によって封止され、ＯＬＥＤ発光素子２３が封止材２４によって封止され、封止材２２と封止材２４とが接着層２５によって接着されて構成されている。
そして、ＯＬＥＤ発光素子２３がフレキシブル二次電池２１の上側に配置されており、ＯＬＥＤ発光素子２３の上面から発光する構成となっている。
【００４３】
フレキシブル二次電池２１は、本発明のフレキシブル二次電池により構成することができ、例えば、前述した第１の実施の形態のフレキシブル二次電池１０の正極集電体１１から負極集電体１６までの積層構造と同様の積層構造とすることができる。
ＯＬＥＤ発光素子２３は、従来から提案されている、シート状のフレキシブル性を有する有機エレクトロルミネッセンス素子（ＯＬＥＤ）から成る発光素子によって構成することができる。
封止材２２及び封止材２４には、フレキシブル性を有する、従来公知の封止用の材料を使用することができる。また、封止材自体がガスバリア性を有する材料を含有していたり、封止材の内側にガスバリア性を有する膜を形成したりしても良い。
フレキシブル二次電池２１とＯＬＥＤ発光素子２３とは、図示しないが、電気的に接続されている。
【００４４】
さらに、必要に応じて、例えば、発光シート２０の外部に、フレキシブル二次電池２１の起電力を昇圧してＯＬＥＤ発光素子２３に供給する、昇圧回路を設けることができる。
なお、昇圧回路をフレキシブル基板と薄膜の回路で構成することができれば、発光シート２０の内部に設けることも可能である。
【００４５】
本実施の形態の発光シート２０は、フレキシブル二次電池２１とＯＬＥＤ発光素子２３のそれぞれを封止する封止材２２，２４が接着され、かつ、フレキシブル二次電池２１とＯＬＥＤ発光素子２３とが電気的に接続されているので、フレキシブル二次電池２１によってＯＬＥＤ発光素子２３を駆動して、発光させることができる。
また、フレキシブル二次電池２１とＯＬＥＤ発光素子２３が、いずれもシート状でフレキシブル性を有しているため、フレキシブル性を有する発光シート２０を実現することができる。そして、発光シート２０を曲げた状態でも発光させることが可能になる。
【００４６】
＜４．第３の実施の形態（電子機器）＞
本発明の第３の実施の形態の電子機器の概略構成図（断面図）を、図３に示す。
本実施の形態も、本発明の電子機器を、有機エレクトロルミネッセンス素子（ＯＬＥＤ）から成る発光シートに適用したものである。
【００４７】
図３に示す発光シート３０は、フレキシブル二次電池３１の上にＯＬＥＤ発光素子３２が積層され、全体を封止材３３によって封止して構成されている。
そして、ＯＬＥＤ発光素子３２がフレキシブル二次電池３１の上側に配置されており、ＯＬＥＤ発光素子３２の上面から発光する構成となっている。
【００４８】
フレキシブル二次電池３１は、本発明のフレキシブル二次電池により構成することができ、例えば、前述した第１の実施の形態のフレキシブル二次電池１０の正極集電体１１から負極集電体１６までの積層構造と同様の積層構造とすることができる。
ＯＬＥＤ発光素子３２は、従来から提案されている、シート状のフレキシブル性を有する有機エレクトロルミネッセンス素子（ＯＬＥＤ）から成る発光素子によって構成することができる。
封止材３３には、フレキシブル性を有する、従来公知の封止用の材料を使用することができる。また、封止材自体がガスバリア性を有する材料を含有していたり、封止材の内側にガスバリア性を有する膜を形成したりしても良い。
フレキシブル二次電池３１とＯＬＥＤ発光素子３２とは、図示しないが、電気的に接続されている。
【００４９】
本実施の形態の発光シート３０は、フレキシブル二次電池３１とＯＬＥＤ発光素子３２が積層され、かつ、フレキシブル二次電池３１とＯＬＥＤ発光素子３２とが電気的に接続されているので、フレキシブル二次電池３１によってＯＬＥＤ発光素子３２を駆動して、発光させることができる。
また、フレキシブル二次電池３１とＯＬＥＤ発光素子３２が、いずれもシート状でフレキシブル性を有しているため、フレキシブル性を有する発光シート３０を実現することができる。そして、発光シート３０を曲げた状態でも発光させることが可能になる。
【００５０】
本発明は、上述の実施の形態に限定されるものではなく、本発明の要旨を逸脱しない範囲でその他様々な構成を取り得る。
【符号の説明】
【００５１】
１０，２１，３１・・・フレキシブル二次電池、１１・・・正極集電体、１２・・・正極活物質層、１３・・・電解質層、１４・・・セパレータ、１５・・・負極活物質層、１６・・・負極集電体、１７，２２，２４，３３・・・封止材、１８・・・取り出しタグ（電極端子）、２０，３０・・・発光シート、２３，３２・・・ＯＬＥＤ発光素子
【図１】
0006493210.tif 000002
【図２】
0006493210.tif 000003
【図３】
0006493210.tif 000004